(57)【要約】  【課題】  被覆丸電線群とフラットケーブルとからなるワイヤハーネスにおいて、フラットケーブルに外装材の機能を持たせて他の外装材を不要とすると共に、フラットケーブルの三次元配索を容易にする。  【解決手段】  自動車に配索されるワイヤハーネスＷ／Ｈは、被覆丸電線群Ｗと、偏平な導電材２１を絶縁材２２で被覆した帯状で可撓性を有するフラットケーブル２０とを備え、ワイヤハーネスＷ／Ｈが三次元状に配索される領域１３では被覆丸電線群Ｗの外周面にフラットケーブル２０を螺旋状に巻き付けて、該フラットケーブル２０を被覆丸電線群Ｗの結束用外装材として用いていると共にフラットケーブル２０自体の三次元配索を可能としている。  【選択図】  図３
2007049784.tif 000002
【特許請求の範囲】
【請求項１】
自動車に配索されるワイヤハーネスは、被覆丸電線群と、偏平な導電材を絶縁材で被覆した帯状で可撓性を有するフラットケーブルとを備え、
前記ワイヤハーネスが三次元状に配索される領域では前記被覆丸電線群の外周面に前記フラットケーブルを螺旋状に巻き付けて、該フラットケーブルを被覆丸電線群の結束用外装材として用いていると共にフラットケーブル自体の三次元配索を可能としていることを特徴とする自動車用ワイヤハーネスの配索構造。
【請求項２】
前記フラットケーブルを被覆丸電線群に螺旋状に巻き付けていない領域では、被覆丸電線群と略平行に集束して配索している請求項１に記載の自動車用ワイヤハーネスの配索構造。
【発明の詳細な説明】
【技術分野】
【０００１】
本発明は、自動車用ワイヤハーネスの配索構造に関し、詳しくは、被覆丸電線群とフラットケーブルとからなる自動車用ワイヤハーネスの三次元配索構造に関するものである。
【背景技術】
【０００２】
従来、自動車に配索されるワイヤハーネスは、その配索部位に突起物やエッジ等の干渉物が存在する場合、これらの干渉によるワイヤハーネスの被覆丸電線の損傷を防止するため合成樹脂製のコルゲートチューブを外装して保護するようにしている。このようなコルゲートチューブは特開２００４−３１２９４８号公報（特許文献１）等で提供されている。
【０００３】
また、自動車に配索されるワイヤハーネスとして前記被覆丸電線とフラットケーブルとを併用する場合があり、この場合でも、被覆丸電線群の外装保護が必要な部分にはコルゲートチューブ等の外装材を外装している。
しかしながら、自動車の狭小なスペースへのワイヤハーネスの配索を可能とするためフラットケーブルを用いているにもかかわらず、コルゲートチューブ等の外装材を外装するとワイヤハーネスが大径化してしまい、狭小なスペースへの配索が実現できなくなる。また、外装材の使用によるコスト増、重量化の問題もある。
【特許文献１】特開２００４−３１２９４８号公報
【発明の開示】
【発明が解決しようとする課題】
【０００４】
本発明は前記問題に鑑みてなされたものであり、被覆丸電線群とフラットケーブルとからなるワイヤハーネスにおいて、フラットケーブルに外装材の機能も持たせて、他の外装材を不要とすると共に三次元配索を容易にすることを課題としている。
【課題を解決するための手段】
【０００５】
前記課題を解決するため、本発明は、自動車に配索されるワイヤハーネスは、被覆丸電線群と、偏平な導電材を絶縁材で被覆した帯状で可撓性を有するフラットケーブルとを備え、
前記ワイヤハーネスが三次元状に配索される領域では前記被覆丸電線群の外周面に前記フラットケーブルを螺旋状に巻き付けて、該フラットケーブルを被覆丸電線群の結束用外装材として用いていると共にフラットケーブル自体の三次元配索を可能としていることを特徴とする自動車用ワイヤハーネスの配索構造を提供している。
【０００６】
前記構成によれば、被覆丸電線群の外周面にフラットケーブルを巻き付けて、該フラットケーブルを配線材として用いると共に被覆丸電線群の外装材としても用いているため、従来用いていたコルゲートチューブ等の外装材が不要となる。これにより、ワイヤハーネスを小径化、軽量化でき、コストを低減することができる。
また、フラットケーブルを被覆丸電線群に巻き付けることによりフラットケーブルを被覆丸電線群の結束材としているため、テープ巻き固定する箇所も低減できる。
さらに、直線状に配索したフラットケーブルを三次元状に配索するにはフラットケーブルを折り曲げる必要があるが、本発明では、フラットケーブルを被覆丸電線群に巻き付けているため、フラットケーブルを折り曲げることなく容易に三次元配索できる。これにより、フラットケーブルの導電材に局部的な負荷がかかるのを防止して、導電材の損傷を防止することができる。
さらにまた、ノイズ発生領域においてフラットケーブルを被覆丸電線群の外周に隙間なく巻き付けるとシールド機能を持たせることができる。
【０００７】
前記フラットケーブルの絶縁材としては耐摩耗性に優れたポリエチレンテレフタレート（ＰＥＴ）が好ましい。
前記構成によれば、フラットケーブルに外装保護材としての機能を十分に持たせることができる。
また、フラットケーブルに所要の可塑性を持たせることができるため、ワイヤハーネスを三次元状に折り曲げると、フラットケーブルによってワイヤハーネスの配索形態を保持することができる。これにより、ワイヤハーネスを車体パネルにクリップ止めする数を低減できると共に、ワイヤハーネスの経路規制をするプロテクタが不要となり、ワイヤハーネスの配索作業を容易にすることができる。
【０００８】
前記フラットケーブルを被覆丸電線群に螺旋状に巻き付けていない領域では、被覆丸電線群と略平行に集束して配索していることが好ましい。
前記構成によれば、ワイヤハーネスを三次元状に配索する領域や、ワイヤハーネスに干渉物が干渉する領域、ノイズの影響を受ける領域にのみ被覆丸電線群にフラットケーブルを巻き付けているため、フラットケーブルを無駄に長尺とする必要がなく大幅なコストアップを防止することができる。
【０００９】
前記被覆丸電線群の外周面あるいは／および前記フラットケーブルの一面に粘着剤を塗布し、該粘着剤により前記被覆丸電線群の外周面に前記フラットケーブルを巻き付け固定していることが好ましい。
前記被覆丸電線群にフラットケーブルを固定せずに巻き付けるだけでもフラットケーブルの可塑性により巻き付け状態を維持しておくことができるが、前記構成によれば、粘着剤によりフラットケーブルを被覆丸電線群に巻き付け固定しているため、より確実に巻き付け状態を維持しておくことができる。これにより、被覆丸電線群の外装保護および結束を確実にすることができる。
【発明の効果】
【００１０】
前述したように、本発明によれば、被覆丸電線群の外周面にフラットケーブルを巻き付けて、該フラットケーブルを配線材兼外装材としているため、従来用いていたコルゲートチューブ等の外装材が不要となる。これにより、ワイヤハーネスを小径化、軽量化でき、コストを低減することができる。
また、フラットケーブルを被覆丸電線群に巻き付けることにより被覆丸電線群を結束することができ、テープ巻き固定する箇所を低減できる。
さらに、フラットケーブルを被覆丸電線群に巻き付けているため、フラットケーブルを折り曲げることなく三次元配索することができる。
【発明を実施するための最良の形態】
【００１１】
本発明の実施形態を図面を参照して説明する。
図１乃至図３は、本発明の実施形態を示し、自動車に三次元状に配索するワイヤハーネスＷ／Ｈは、芯線１１に絶縁材１２を被覆した被覆丸電線ｗを複数本束ねた被覆丸電線群Ｗとフラットケーブル２０とからなる。被覆丸電線群Ｗの外周面には、ワイヤハーネスＷ／Ｈが三次元状に配索される領域１３にフラットケーブル２０を螺旋状に巻き付けている。被覆丸電線群Ｗとフラットケーブル２０の端末にはそれぞれ個別にコネクタＣ１、Ｃ２を接続しており、該コネクタＣ１、Ｃ２を自動車に搭載した電気機器に接続する構成としている。
【００１２】
帯状で可撓性を有するフラットケーブル２０は、図２に示すように、並列配置させた偏平な導電材２１の上下両面をポリエチレンテレフタレート（ＰＥＴ）からなる絶縁材２２で被覆している。また、フラットケーブル２０を被覆丸電線群Ｗに巻き付ける箇所の絶縁材２２の一面２２ａには粘着剤２３を塗布している。フラットケーブル２０は被覆丸電線群Ｗの外周面に螺旋状に巻き付けることができる可撓性を備えていると共に、巻き付けた状態で形状を保持できる可塑性を備えている。
【００１３】
ワイヤハーネスＷ／Ｈの領域１３では、フラットケーブル２０の粘着剤２３を塗布した面２２ａが内面側となるように、フラットケーブル２０を被覆丸電線群Ｗに隙間なく螺旋状に巻き付けている。
また、ワイヤハーネスＷ／Ｈの領域１３以外の領域１４、即ち、領域１３を挟む両側の領域では、被覆丸電線群Ｗの軸線方向とフラットケーブル２０の軸線方向を一致させて、フラットケーブル２０を被覆丸電線群Ｗの外面に沿わせ、略平行に集束して所要ピッチで被覆丸電線群Ｗとフラットケーブル２０とをテープＴ巻き固定している。
【００１４】
図３は、本実施形態のワイヤハーネスＷ／Ｈを自動車に配索した状態を示す。具体的には、ワイヤハーネスＷ／Ｈを段差３０のある箇所に配索しており、ワイヤハーネスＷ／Ｈのうち被覆丸電線群Ｗにフラットケーブル２０を巻き付けた領域１３を所要方向に折り曲げて、ワイヤハーネスＷ／Ｈを段差３０に沿わせて三次元状に配索している。ワイヤハーネスＷ／Ｈの折り曲げた部分は巻き付けたフラットケーブル２０により所要の配索形態で保持されている。このとき、ワイヤハーネスＷ／Ｈには段差３０の尖った角部３０ａが干渉するが、フラットケーブル２０が被覆丸電線群Ｗの外装保護材となって被覆丸電線群Ｗを保護するため、被覆丸電線群Ｗの損傷を防止することができる。即ち、フラットケーブル２０は配線材、結束材、外装保護材および形状保持材としての機能を果たしている。
【００１５】
前記構成によれば、被覆丸電線群Ｗの外周面にフラットケーブル２０を巻き付けて、該フラットケーブル２０を配線材として用いると共に被覆丸電線群Ｗの外装材としているため、従来用いていたコルゲートチューブ等の外装材が不要となる。これにより、ワイヤハーネスＷ／Ｈを小径化、軽量化でき、コストを低減することができる。
また、フラットケーブル２０を被覆丸電線群Ｗに螺旋状に巻き付けているため、フラットケーブル２０を折り曲げることなく三次元配索することができる。
【００１６】
なお、図４（Ａ）に示すように、フラットケーブル２０を被覆丸電線群Ｗに所要の間隔をあけて螺旋状に巻き付けてもよいし、図４（Ｂ）に示すように、フラットケーブル２０を被覆丸電線群Ｗの端末を除いた全長に亙って螺旋状に巻き付けてもよい。
また、粘着剤は被覆丸電線群Ｗの外周面に塗布してもよく、フラットケーブル２０に巻き付け状態を維持できるだけの十分な可塑性がある場合には粘着剤を用いなくてもよい。また、図４（Ｃ）に示すように、フラットケーブル２０の巻き付け部分の両端を被覆丸電線群Ｗにテープ巻き固定してもよい。
【図面の簡単な説明】
【００１７】
【図１】本発明の実施形態のワイヤハーネスを示し、（Ａ）は正面図、（Ｂ）はＡ−Ａ線断面図、（Ｃ）はＢ−Ｂ線断面図である。
【図２】フラットケーブルを示し、（Ａ）は平面図、（Ｂ）はＣ−Ｃ線断面図である。
【図３】自動車に配索したワイヤハーネスを示す図面である。
【図４】（Ａ）〜（Ｃ）は変形例のワイヤハーネスを示す図面である。
【符号の説明】
【００１８】
２０  フラットケーブル
２１  導電材
２２  ポリエチレンテレフタレート（ＰＥＴ）からなる絶縁材
２３  粘着剤
Ｗ  被覆丸電線群
Ｗ／Ｈ  ワイヤハーネス
【図１】
2007049784.tif 000003
【図２】
2007049784.tif 000004
【図３】
2007049784.tif 000005
【図４】
2007049784.tif 000006